(57)【要約】【課題】商品自体に装着することができ、小形で、安価な色見本部材を提供する。【解決手段】口紅繰出容器３の繰出操作部４の底面に設けられる色見本部材１であって、この色見本部材１は、所定間隔をあけて配設される上下一対の平板部１１，１２と、これら両平板部１１，１２を連結する連結部とから構成され、上記両平板部１１，１２と連結部との色調が上記口紅２の色調と対応している。【選択図】図２
2005052371.tif 000002
【特許請求の範囲】
【請求項１】
棒状化粧料容器の把持部の底面に設けられる色見本部材であって、この色見本部材は、所定間隔をあけて配設される上下一対の平板部と、これら両平板部を連結する連結部とから構成され、上記両平板部と連結部との色調が上記棒状化粧料の色調と対応していることを特徴とする色見本部材。
【請求項２】
上記下側平板部の下面に、接着手段収容用凹部が形成されている請求項１記載の色見本部材。
【発明の詳細な説明】
【技術分野】
【０００１】
本発明は、口紅等の棒状化粧料の色見本部材に関するものである。
【背景技術】
【０００２】
従来から、口紅等の色見本品を店頭等で展示する際に、図９に示すように、上側壁部に色見本ダミー４３を保持し下側筒部内にテスター（試供品）４２を挿し込んで保持したサンプル保持体４４（テスター専用品）を多数（各色毎に）用意し、上面に多数のテスター品挿通用穴４１が穿設された展示台４０の上記穴４１にサンプル保持体４４の下部（テスター４２の部分）を挿通するようにして展示台４０に各サンプル保持体４４を載置し、展示台４０上に色見本ダミー４３を多数並べるようにしたものがある。このように、１つのサンプル保持体４４に色見本ダミー４３とテスター４２の両方を保持することで、色見本ダミー４３の色が実際にはどのような感じの色になるかを、テスター４２によって簡単に確認できるようにしている（例えば、特許文献１）。
【特許文献１】特開２０００−１６６６４５号公報
【発明の開示】
【発明が解決しようとする課題】
【０００３】
しかしながら、上記のように、色見本ダミー４３およびテスター４２を備えたサンプル保持体４４を用いる場合には、その作製工程が複雑であるうえ、テスター４２が必要になるため、高価になる。しかも、例えば２０色分のサンプル保持体４４が必要である場合には、各色毎にそれぞれ別個に（色見本ダミー４３と、テスター４２を挿し込んで保持する下側筒部とを有する）サンプル保持体４４を作製する必要がある。そこで、テスター４２をサンプル保持体４４の下側筒部に保持するのではなく、商品（販売品）を保持することにより、テスター４２を省略することが考えられる。この場合にも、サンプル保持体４４の下側筒部に商品を挿し込んで保持し、その状態で陳列, 展示する必要があり、上記と同様の問題がある。しかも、色見本ダミー４３には、口紅の先部に似せた部分等が形成されているため、その形状が大きく、また複雑でもあり、作製コストが高価になる。そこで、商品自体に装着することができ、小形で、安価な色見本部材の実現が強く望まれている。
【０００４】
本発明は、このような事情に鑑みなされたもので、商品自体に装着することができ、小形で、安価な色見本部材の提供をその目的とする。
【課題を解決するための手段】
【０００５】
上記の目的を達成するため、本発明の色見本部材は、棒状化粧料容器の把持部の底面に設けられる色見本部材であって、この色見本部材は、所定間隔をあけて配設される上下一対の平板部と、これら両平板部を連結する連結部とから構成され、上記両平板部と連結部との色調が上記棒状化粧料の色調と対応しているという構成をとる。
【発明の効果】
【０００６】
すなわち、本発明の色見本部材は、所定間隔をあけて配設される上下一対の平板部と、これら両平板部を連結する連結部とから構成されており、これを、棒状化粧料容器の把持部の底面に設けるようにしている。したがって、本発明の色見本部材では、従来例（特許文献１）のような、テスター４２もしくは商品を挿し込んで保持するサンプル保持体４４の下側筒部を作製する必要がなく、本発明の色見本部材を棒状化粧料の各色毎に作製し、色見本として機能させればよく、作製コストが安価になる。しかも、上記両平板部と連結部との色調が上記棒状化粧料の色調と対応しているため、上記棒状化粧料の色調が実際にはどのような感じの色調であるのかを、上記両平板部と連結部との色調によって簡単に確認することができる。しかも、この色見本部材は、上記したように、上下一対の平板部と連結部とで構成されているだけであるため、小さく形成することができ、しかも、構造が簡単で、 さらに安価に作製することができる。しかも、単に一枚の平板体を両面テープ等を介して上記棒状化粧料容器の把持部の底面に接着, 固定する場合に、上記平板体が透明性を有するものであると、両面テープ等が平板体の上方から見えて目立つおそれがあるが、本発明の色見本部材は、透明性を有していたとしても、下側平板部で両面テープ等がぼやかされて下側平板部の表面に映り、この下側平板部の表面に映る両面テープ等を、上記両平板部間に形成される空間を介して、上側平板部の上方から見ることになり、両面テープ等が目立たなくなる。また、連結部がある部分では、この部分の厚みで、両面テープ等が目立たなくなり、見栄えがよい。なお、本発明において、棒状化粧料容器とは、棒状化粧料を繰り出す棒状化粧料繰出容器だけではなく、棒状化粧料を繰り出さないタイプの棒状化粧料容器をも指す。また、本発明において、把持部とは、棒状化粧料容器の下部にある、使用時に手でつかんで棒状化粧料容器を動かす部分を指し、棒状化粧料繰出容器の場合には、通常、繰出操作部が把持部となる。
【０００７】
また、上記下側平板部の下面に、接着手段収容用凹部が形成されていると、上記下側平板部の内部に両面テープ等の接着手段を収容することができ、本発明の色見本部材の厚みを薄くすることができる。
【発明を実施するための最良の形態】
【０００８】
つぎに、本発明の実施の形態を図面にもとづいて詳しく説明する。
【０００９】
図１は、本発明の色見本部材の一実施の形態を示している。この実施の形態では、上記色見本部材１は、口紅２が繰り出し自在に収容された口紅繰出容器（棒状化粧料容器）３の繰出操作部（把持部）４の底面（図２および図７参照。この図２および図７では、口紅２を下向きにした口紅繰出容器３、すなわち逆向きの口紅繰出容器３が示されている）に両面テープ１４（図５参照）を用い着脱自在に装着される。この実施の形態では、上記色見本部材１は、商品として販売される口紅繰出容器３に装着されている。
【００１０】
上記色見本部材１は、図３〜図６に示すように、所定間隔をあけて平行に配設された上下一対のプラスチック製の平板部１１，１２と、これら両平板部１１，１２を連結するプラスチック製の連結部１３とからなり、これら両平板部１１，１２および連結部１３を、上記口紅２の色調に着色したプラスチック材料を用いて一体成形したものであり、これにより、両平板部１１，１２および連結部１３の色調が上記口紅２の色調と同じになっている。
【００１１】
上記両平板部１１，１２は、厚みは異なるものの、略同じ形状の長方形状平板体に形成されており、平面視で、相重なるように配設されている。また、上側平板部１１の上面は、緩やかに湾曲する湾曲面に形成されている。一方、下側平板部１２には、その下面に、略長方形状の凹部１２ａが形成されており、この凹部１２ａに略長方形状の両面テープ１４が収容されて接着, 固定されている。
【００１２】
また、上記連結部１３は、上記両平板部１１，１２より小さい長方形状平板体に形成されている。図５および図６において、１５は下側平板部１２の凹部１２ａの上面から上方に向かって穿設された５つの小凹部であり、色見本部材１を軽量化する作用を奏している。このような色見本部材１は、図７に示すように、口紅繰出容器３の繰出操作部４の底面に上記両面テープ１４（図７では、図示せず）を介して接着, 固定されている。なお、上記両平板部１１，１２および連結部１３の形状は、長方形状に限定するものではなく、円形状等, どのような形状でもよく、繰出操作部４の底面の形状に合わせることが、好ましい。また、上記下側平板部１２の凹部１２ａ、両面テープ１４の形状も、同様であり、どのような形状でもよい。
【００１３】
上記口紅繰出容器３は、従来公知のものであり、内部に口紅２の保持皿（図示せず）が昇降自在に保持された外筒５（図７参照）と、この外筒５の下端部に回動自在に取付けられた繰出操作部４とを備え、この繰出操作部４を回動させることにより上記保持皿とともに口紅２を昇降させるよう構成している。図７において、６は口紅繰出容器３のキャップである。
【００１４】
また、上記色見本１を接着, 固定した口紅繰出容器３は、図８に示すような陳列台２０を用いて、陳列, 展示される。この陳列台２０は、台本体２１と傾斜板部２２とからなり、この傾斜板部２２に、上記口紅繰出容器３を挿通, 支受しうる３つの筒部２３が取り付けられている。より詳しく説明すると、上記台本体２１は、略水平に形成された四角形状の底板２５と、この底板２５の前端部から略垂直に上向きに延びる四角形状の前板２６と、上記底板２５の後端部から略垂直に上向きに延びる上記前板２６より長い四角形状の後板２７と、上記底板２５の左右両側部から略垂直に上向きに延びる左右一対の左右両側板２８，２９（左右両側板２８，２９は、それぞれ左右対称形状になっている）とからなり、上面が開口している。すなわち、前板２６、後板２７、左右両側板２８，２９の各上辺で形成される傾斜状の上面開口部を有している。
【００１５】
また、上記傾斜板部２２は、所定間隔をあけて平行に配設される上下一対の天板３１，３２（天板３１，３２の外形は略同じに形成されている）と、これら両天板３１，３２の外周部間に配設されこれら両天板３１，３２の外周部間の隙間を閉塞する四角形状枠体の側板３３とからなり、上記下側天板３２が上記台本体２１の上面開口部に接着，固定されている。また、上記両天板３１，３２には、相対向する状態で一対の貫通穴３１ａ，３２ａが３組穿設されており、これら貫通穴３１ａ，３２ａにそれぞれ筒部２３が固定されている。そして、これら各筒部２３に上方から、逆向きの口紅繰出容器３の外筒５が挿通されているとともに、上記各筒部２３の内周面の段部で繰出操作部４の下端部が支受されている。
【００１６】
上記のように、この実施の形態では、それ自体の色調が口紅２の色調と同じである色見本部材１を、口紅繰出容器３の繰出操作部４の底面に接着, 固定して、陳列, 展示することができる。しかも、この色見本部材１は、上下一対の平板部１１，１２と連結部１３とで構成されているだけであるため、小さく形成することができ、しかも、構造が簡単で、安価に作製することができる。しかも、上下一対の平板部１１，１２の間に空間があり、また、連結部１３がある部分は厚みが厚いため、下側平板部１２の下面の凹部１２ａに収容した両面テープ１４が、上側平板部１１の上方から殆ど目立たない。
【００１７】
なお、上記実施の形態では、棒状化粧料として口紅２を用いたが、これに限定されるものではなく、アイシャドウ，チーク，シャドウ等の他の棒状化粧料でもよい。
【００１８】
また、下側平板部１２の凹部１２ａに両面テープ１４を接着しているが、口紅繰出容器３の繰出操作部４の底面に下側平板部１２を着脱自在に接着することができるものであれば、どのような接着剤を用いてもよい。また、下側平板部１２の下面に凹部１２ａを形成しなくてもよい。
【図面の簡単な説明】
【００１９】
【図１】本発明の色見本部材の一実施の形態を示す斜視図である。
【図２】上記色見本部材の使用状態を示す斜視図である。
【図３】上記色見本部材の正面図である。
【図４】上記色見本部材の側面図である。
【図５】上記色見本部材の底面図である。
【図６】上記色見本部材の図５における矢視ＡーＡ断面図である。
【図７】上記色見本部材の使用状態を示す正面図である。
【図８】陳列台の断面図である。
【図９】従来例を示す斜視図である。
【符号の説明】
【００２０】
１    色見本部材
２    口紅
３    口紅繰出容器
４    繰出操作部
１１, １２    平板部
【図１】
2005052371.tif 000003
【図２】
2005052371.tif 000004
【図３】
2005052371.tif 000005
【図４】
2005052371.tif 000006
【図５】
2005052371.tif 000007
【図６】
2005052371.tif 000008
【図７】
2005052371.tif 000009
【図８】
2005052371.tif 000010
【図９】
2005052371.tif 000011
【手続補正書】
【提出日】平成15年8月7日(2003.8.7)
【手続補正１】
【補正対象書類名】図面
【補正対象項目名】全図
【補正方法】変更
【補正の内容】
【図１】
2005052371.tif 000012
【図２】
2005052371.tif 000013
【図３】
2005052371.tif 000014
【図４】
2005052371.tif 000015
【図５】
2005052371.tif 000016
【図６】
2005052371.tif 000017
【図７】
2005052371.tif 000018
【図８】
2005052371.tif 000019
【図９】
2005052371.tif 000020